(57)【特許請求の範囲】
【請求項１】
Ｘ線源からのＸ線を回折する回折格子と、前記回折格子を透過したＸ線の強度分布を検出するＸ線検出器と、前記Ｘ線検出器で検出された強度分布から、被検物の位相情報を演算する演算装置と、を有するＸ線撮像装置であって、
前記Ｘ線検出器は、
前記回折格子により形成される周期的な強度分布である第１の強度分布と、前記Ｘ線検出器上で前記第１の強度分布が前記第１の強度分布の周期方向に移動した強度分布である第２の強度分布と、を検出し、
前記演算手段は、
前記第１の強度分布と前記第２の強度分布との差分の周波数スペクトルを演算し、
前記周波数スペクトルから前記位相情報を演算することを特徴とするＸ線撮像装置。
【請求項２】
Ｘ線源からのＸ線を回折する回折格子と、前記回折格子を透過したＸ線の強度分布を検出するＸ線検出器と、前記Ｘ線検出器で検出された強度分布から、被検物の位相情報を演算する演算装置と、前記回折格子と前記Ｘ線検出器の間に配置されている遮蔽部材と、を有するＸ線撮像装置であって、
前記Ｘ線検出器は、
第１の強度分布と、該第１の強度分布と異なる第２の強度分布と、を検出し、前記第１の強度分布と前記第２の強度分布とは、
前記回折格子による強度分布と、前記強度分布の一部を周期的に遮光する前記遮蔽部材とにより形成されるモアレ縞であり、
前記演算手段は、
前記第１の強度分布と前記第２の強度分布との差分の周波数スペクトルを演算し、
前記周波数スペクトルから前記位相情報を演算することを特徴とするＸ線撮像装置。
【請求項３】
前記第２の強度分布は、
前記Ｘ線検出器上で前記第１の強度分布が前記第１の強度分布の周期方向に半周期だけずれた強度分布であることを特徴とする請求項１又は２に記載のＸ線撮像装置。
【請求項４】
前記第１の強度分布と前記第２の強度分布とは、２方向に周期を有することを特徴とする請求項１乃至３のいずれか１項に記載のＸ線撮像装置。
【請求項５】
前記第１の強度分布をＩＡ、
前記第１の強度分布を前記第１の強度分布が有する周期方向の１つである第１の方向に移動して検出した第２の強度分布をＩＢ、
前記第１の強度分布を前記第１の強度分布が有する周期方向の１つであり、前記第１の方向と異なる第２の方向に移動して検出した強度分布をＩＣ、
前記第１の強度分布を前記第１の方向および前記第２の方向に移動して検出した強度分布をＩＤとするとき、
前記演算手段は、下記の式を満たす強度分布ＩＥの空間周波数スペクトルを演算し、該空間周波数スペクトルから前記位相情報を演算することを特徴とする請求項４に記載のＸ線撮像装置。
ＩＥ＝ＩＡ−ＩＢ−ＩＣ＋ＩＤ
【請求項６】
前記第１の強度分布と前記第２の強度分布との周期は、前記Ｘ線検出器の画素のサイズの４倍であり、
前記第１の強度分布と前記第２の強度分布との周期方向は、前記Ｘ線検出器の画素の配列方向と一致しており、
前記演算手段は、前記周波数スペクトルから、前記強度分布の周期方向において周波数がゼロからナイキスト周波数までを含み、前記強度分布の周期方向に垂直な方向においてナイキスト周波数間の周波数を含む、長方形領域を切り出すことを特徴とする請求項４または５に記載のＸ線撮像装置。
【請求項７】
前記第１の強度分布と前記第２の強度分布との周期は、前記Ｘ線検出器の画素サイズの２√２倍であり、
前記第１の強度分布と前記第２の強度分布との周期方向は、前記Ｘ線検出器の画素配列に対し４５°傾いており、
前記演算手段は、前記周波数スペクトルから、前記Ｘ線検出器の画素配列の２つの周期方向のそれぞれにおいて、周波数がゼロからナイキスト周波数までを含む正方形領域を切り出すことを特徴とする請求項４または５に記載のＸ線撮像装置。
【請求項８】
前記演算装置は、
前記第１の強度分布と前記第２の強度分布との差分を演算することで得られる強度分布をフーリエ変換すること、または、前記第１の強度分布と前記第２の強度分布をそれぞれフーリエ変換して得られた周波数スペクトルの差分をとることで、前記第１の強度分布と前記第２の強度分布との差分の周波数スペクトルを演算することを特徴とする請求項１乃至７のいずれか１項に記載のＸ線撮像装置。
【発明の詳細な説明】
【技術分野】
【０００１】
本発明は、被検査物のＸ線位相像を計測するＸ線撮像装置、および該Ｘ線撮像装置を適用した被検査物の透過波面を計測する波面計測装置に関するものである。
【背景技術】
【０００２】
Ｘ線は高い物質透過性を持ち、かつ高空間分解能イメージングが可能であることから、工業的利用として物体の非破壊検査、医療的利用としてレントゲン撮影、等に用いられている。
これらは、物体や生体内の構成元素や密度差によりＸ線透過時の吸収の違いを利用してコントラスト画像を形成するものであり、Ｘ線吸収コントラスト法と言われる。
しかし、軽元素ではＸ線吸収が非常に小さいため、生体の構成元素である炭素、水素、酸素などからなる生体軟組織、あるいはソフトマテリアルをＸ線吸収コントラスト法により画像化することは困難である。
【０００３】
これに対して、軽元素で構成される組織でも明瞭な画像化を可能とする方法として、Ｘ線の位相差を用いた位相コントラスト法の研究が、１９９０年代より行なわれている。
位相コントラスト法の一つに、特許文献１に記載されている方法がある。
この方法は位相シフト法と呼ばれる方式の１種であり、被検出物を透過したＸ線を回折格子に照射させ、回折格子から特定の距離だけ離れた位置に生じる強度分布（以下、自己像と呼ぶ）をモアレ縞として撮像する。
そして、回折格子を移動させてモアレ縞を走査させた３枚以上の画像に基づいて、被検出物を透過した位相情報を取得する。
このときに得られるのは１方向の微分波面なので、一般に波面形状を復元するには、これと直交する方向の微分波面を得る必要となる。
【０００４】
これに対し、特許文献２には、フーリエ変換法として知られている位相復元法が開示されている。
この方法では、まず２次元の回折格子を用いることで生じた互いに直交する方向の縞成分からなる自己像をフーリエ変換して周波数マップを得る。
次にその周波数マップ上で前述の直交する縞成分に対応する２つのピークの周辺を切り出して各々逆フーリエ変換したものの位相を算出する。
こうして得られた２つの位相分布マップは、互いに直交する方向の微分波面となっており、これらを基にして波面復元をすることによって、１枚の干渉画像から２次元的な波面復元を実現する。
【先行技術文献】
【特許文献】
【０００５】
【特許文献１】米国特許７１８０９７９号明細書
【特許文献２】特許第４３２３９５５号公報
【発明の概要】
【発明が解決しようとする課題】
【０００６】
上記特許文献１の方法では、１方向の微分波面を得るのに最少３枚の画像、波面形状を復元するには、互いに直交する方向の微分波面が必要となる。
そのため、最少６枚の画像が必要となり、Ｘ線被曝量の増加、計測時間の長時間化が生じ、これらが医療用診断装置に応用する際の課題となる。
一方、上記特許文献２の方法で取得した位相コントラスト画像は、微分位相以外に被検出物の透過率分布と光源の照明むらに起因した成分が含まれるという点に問題がある。そのため、被検出物を透過した位相分布を正確に計測することはできないという課題を有している。
【０００７】
本発明は、上記課題に鑑み、特許文献１の方法より少ない画像数で、且つ、特許文献２の方法より空間分解能が高く、
被検査物の透過率分布と光源の照明むらの影響を抑制して２次元的に波面を復元することが可能となる被検査物のＸ線位相像を計測するＸ線撮像装置、および被検査物の透過波面を計測する波面計測装置の提供を目的とする。
【課題を解決するための手段】
【０００８】
本発明のＸ線撮像装置は、Ｘ線源からのＸ線を回折する回折格子と、
前記回折格子を透過したＸ線の強度分布を検出するＸ線検出器と、前記Ｘ線検出器で検出された強度分布から、被検物の位相情報を演算する演算手段と、を有するＸ線撮像装置であって、
前記Ｘ線検出器は、
第１の強度分布と、該第１の強度分布と異なる第２の強度分布と、を検出し、前記演算手段は、
前記第１の強度分布と前記第２の強度分布との差分の周波数スペクトルを演算し、
前記周波数スペクトルから前記位相情報を演算することを特徴とする。
また、本発明の波面計測装置は、
光源と、
前記光源から照射された光線の位相もしくは強度を周期的に変調する回折格子と、
前記回折格子を透過もしくは反射した光線によるタルボ効果によって生じる強度分布、もしくはさらに遮光部材を配置することによって生じるモアレ縞の強度分布を取得する検出器と、
前記光源と前記回折格子の間、または前記回折格子と撮像装置の間に配置した被検物を透過した光線の微分位相分布を得る演算手段とを有し、前記被検物の透過波面を計測する波面計測装置であって、
前記検出器は、
第１の強度分布と、該第１の強度分布と異なる第２の強度分布と、を検出し、前記演算手段は、
前記第１の強度分布と前記第２の強度分布との差分の周波数スペクトルを演算し、
前記周波数スペクトルから前記位相情報を演算することを特徴とする。
【発明の効果】
【０００９】
本発明によれば、特許文献１の方法より少ない画像数で、且つ、特許文献２の方法より空間分解能が高く、
被検査物の透過率分布と光源の照明むらの影響を抑制して２次元的に波面を復元することが可能となる被検査物のＸ線位相像を計測するＸ線撮像装置、および被検査物の透過波面を計測する波面計測装置を実現することができる。
【図面の簡単な説明】
【００１０】
【図１】本発明の実施形態１及び実施例１におけるＸ線撮像装置の構成例を説明する図である。
【図２】本発明の実施例１におけるＸ線撮像装置の市松模様位相格子を説明する図である。
【図３】本発明の実施例１における演算装置で実施する波面計測のフローチャートを説明する図である。
【図４】本発明の実施例１における位相差π／２の市松模様の位相変調格子を使用した場合の強度分布、周波数スペクトルを説明する図である。
【図５】本発明を適用しない場合の周波数スペクトル切り出し領域を説明する図である。
【図６】本発明の実施例１における周波数スペクトル切り出し領域を説明する図である。
【図７】本発明の実施例１における位相差πの市松模様の位相変調格子を使用した場合の強度分布、周波数スペクトルを説明する図である。
【図８】本発明の実施例１におけるメッシュパターンの強度変調格子を使用した場合の強度分布、周波数スペクトルを説明する図である。
【図９】本発明の実施例２におけるＸ線撮像装置の構成例を説明する図である。
【図１０】本発明の実施例３における製造誤差を有する位相差πの市松模様の位相変調格子を使用した場合の強度分布、周波数スペクトルを説明する図である。
【図１１】本発明の実施例３における製造誤差を有する位相差πの市松模様の位相変調格子を使用した場合の強度分布、周波数スペクトルを説明する図である。
【図１２】本発明の実施例４における１方向に周期性を有する回折格子を使用した場合の強度分布、周波数スペクトルを説明する図である。
【図１３】本発明の実施例４における周波数スペクトル切り出し領域を説明する図である。
【図１４】本発明の実施例５における波面計測装置の構成例を説明する図である。
【発明を実施するための形態】
【００１１】
つぎに、本発明の実施形態について説明する。
（実施形態１）
実施形態１として、図１を用いて、本発明を適用したＸ線撮像装置の構成例について説明する。
図１において、１はＸ線を放射するＸ線源、２はＸ線源１より放射されたＸ線、３は本装置で計測すべき被検査物、４は入射するＸ線の位相もしくは強度を直交する２方向に周期的に変調させる回折格子である。
５は回折格子を透過したＸ線によるタルボ効果によって生じる強度分布を検出するＸ線検出器、６は回折格子４の面内位置を変化させる回折格子移動手段、７は検出器５で撮像した画像から微分波面および透過波面を算出する演算装置である。
本実施形態のＸ線撮像装置は、Ｘ線源１と、Ｘ線源から入射するＸ線の位相もしくは強度を直交する２方向に周期的に変調する回折格子４と、回折格子４の面内位置を変化させる移動手段６とを備えている。
また、回折格子４を透過もしくは反射した光の強度分布を取得するＸ線検出器５と、Ｘ線検出器５により検出された画像からＸ線の位相情報を取得する演算装置７とを備えている。
そして、この演算手段７は、移動手段６とＸ線検出器５を利用して取得した２枚の撮像強度分布の差分の空間周波数スペクトルを得るスペクトル算出手段を備えている。
また、差分スペクトル算出手段で得られた空間周波数スペクトルから上記強度分布の周期における周波数成分を切り出すスペクトル分離手段を備えている。
さらに、上記スペクトル分離手段で得られた上記周波数成分を逆フーリエ変換して微分位相分布を算出する微分位相算出手段を備えている。
【００１２】
以下、これらについて、更に詳細に説明すると、上記構成において、回折格子４は被検査物３の直前または直後に配置され、透過したＸ線がＸ線検出器５上に周期的な強度分布を形成するように作用する。
回折格子４は、具体的には周期的に厚みが変化しているＸ線透過部材からなる位相変調格子または、周期的に配列した開口部を有する強度変調格子、等で構成することができる。
回折格子４とＸ線検出器５の距離Ｚ1は、明瞭な強度分布を得るために以下のタルボ（トールボットともいう）条件の式（１）を満たしている。
0005631013.tif 000002
【００１３】
式（１）においてＺ0は光源１と回折格子４の距離、λはＸ線の波長、ｄは回折格子４の格子周期である。
また、Ｎはｎを自然数として市松模様の位相差π／２の位相変調格子の場合はｎ／２−１／４、市松模様の位相差πの位相変調格子の場合はｎ／４−１／８、メッシュパターンの強度変調格子の場合はｎと表される実数である。
被検査物３をＸ線が通過することで波面の傾きに変化が生じれば、Ｘ線の進行方向が変化するのでＸ線検出器上の強度分布が移動する。
一般に、Ｘ線検出器で撮影した強度分布画像にフーリエ変換法を利用すれば、被検査物３における透過波面の傾き（以後、微分波面）を求めることができる。
フーリエ変換法の詳細は、Ｍｉｔｓｕｏ  Ｔａｋｅｄａ  ｅｔ  ａｌ．，Ｊ．Ｏｐｔ．Ｓｏｃ．Ａｍ．，Ｖｏｌ．７２，Ｎｏ．１（１９８２）に記載されているので、ここでは概要を説明する。
すなわち、強度分布を２次元フーリエ変換して得られた周波数スペクトルには、強度分布の基本周期成分（以下、これをキャリア縞と記す）の周波数（以下、これをキャリア周波数と記す）と数多くのその高調波成分に相当するピークが生じる。
直交するキャリア周波数に相当する２個のピークのうち１個のピークの周辺を切り出して中心に移動する。
さらに、これを逆フーリエ変換したものの位相成分を求めることで測定すべき波面の一方向の微分波面が得られる。
波面を復元するにはこの微分波面を微分方向に積分する。
但し、通常これだけでは微分方向と直交する方向の波面の変化に関しては算出することができない。
これに関しては、もう一方のピークに関しても同様の処理を実施し直交する２方向の微分波面を得ることで解決することができる。
【００１４】
本実施形態においては、回折格子移動手段によって回折格子を面内で移動することで強度分布のキャリア縞を半周期移動させて撮像した２画像の差分の周波数スペクトルを求める。
差分の周波数スペクトルの求め方は始めに画像間の引き算を実施し、その結果得られた差分画像をフーリエ変換してもよいし、始めに２画像をフーリエ変換してそれぞれの周波数スペクトルを算出し、次にそれら周波数スペクトル間の引き算を実施してもよい。
特に、本実施形態では、前記回折格子を面内で移動することで強度分布をその周期の半分だけ移動させて、その移動前後で強度分布を撮像する。
演算装置においてこうして得られた２枚の画像の差分を算出し、その差分画像にフーリエ変換法を施して被検査物透過波面の傾きを得ている。
被検査物への照度ムラや被検査物の透過ムラは２枚の画像で同様のパターンを生じているので、画像の差分を取ることでこれらの影響を除去できる。
また、フーリエ変換法による波面測定の空間分解能を制限しているキャリアの第２高調波のピークも除去することができるので空間分解能も改善される。
以上述べたとおり、本実施形態によれば、被検査物への照度ムラや被検査物の透過ムラに起因するノイズが除去されると共に空間分解能も改善された精度の高い被検査物のＸ線位相像計測を可能としている。
【００１５】
（実施形態２）
実施形態２として、実施形態１を適用した波面計測装置について説明する。
本実施形態は、光学素子の形状や内部物性を透過波面の計測をもとに検査するための波面計測装置に、実施形態１の構成を適用して構成される。
本実施形態の波面計測装置は、光源と、該光源から照射された光線の位相もしくは強度を周期的に変調する回折格子と、該回折格子の面内位置を変化させる移動手段とを備える。
また、回折格子を透過もしくは反射した光線によるタルボ効果によって生じる強度分布、もしくはさらに遮光部材を配置することによって生じるモアレ縞の強度分布を取得する撮像装置を備える。
更に、光源と前記回折格子の間、または前記回折格子と撮像装置の間に配置した被検物を透過した光線の微分位相分布を得る演算装置とを備え、被検物の透過波面を計測するように構成される。
そして、上記移動手段が実施形態１の移動手段によって構成され、また、上記演算装置が実施形態１の演算装置によって構成される。
このような構成によれば、位相シフト法より少ない撮像数で、且つ、従来のフーリエ変換法より空間分解能が高く、また被検物の透過率むらと光源の照明むらに起因する計測波面誤差が低減された透過波面を計測することができる。
【実施例】
【００１６】
以下に、本発明の実施例について説明する。
［実施例１］
実施例１として、図１を用いて、Ｘ線撮像装置の構成例について説明する。
本実施例のＸ線撮像装置において、Ｘ線源１から放射されたＸ線２は被検査物３および回折格子４を通過後、検出器５に達する。
回折格子４は、入射したＸ線の位相をπ／２ないしπ変調させる位相変調格子、または入射したＸ線の強度を変調させる強度変調格子である。
位相変調格子の場合はＸ線の透過率が大きく、加工性がよいシリコンで作製されている。
強度変調格子の場合はＸ線の透過率が小さい金で作製されている。
【００１７】
まず、回折格子として、位相差π／２の位相変調格子を使用した場合について説明する。
シリコンの厚みを周期的に変えることで、透過Ｘ線の位相が相対的にπ／２異なる部分が２次元で周期的に配列させた位相差π／２の位相変調格子を形成している。
図２は、本実施例における回折格子の一部分を光源側から見た図である。
すなわち、ハッチングのある部分４１はハッチングの無い部分４２に対し透過位相がπ／２異なるよう厚みに差を付けている。これらは周期ｄで２次元に配列している。
図３は、本実施例における測定ステップを示している。
ステップ１１０で、検出器は回折格子との距離Ｚ1が、Ｎ＝１／４とした場合の式（１）を満足するように配置されるので、検出器上には明瞭な強度分布の画像が生じている。
ステップ１２０で、検出器により強度分布を取得しこれを強度分布１とする。
図４（ａ）、（ｂ）、（ｃ）は、それぞれ、この時の回折格子４の位置状態、検出器上の強度分布、検出器上の強度分布を２次元フーリエ変換して求めた周波数スペクトルを表している。
ステップ１３０で、回折格子移動手段６により回折格子４を縦または横方向に半周期、即ち図２のｄの２分の１移動させることで強度分布を周期の２分の１移動させる。
ステップ１４０で、再度検出器により強度分布を取得しこれを強度分布２とする。
図４（ｄ）、（ｅ）、（ｆ）は、それぞれ、この時の回折格子４の位置状態、検出器上の強度分布、検出器上の強度分布を２次元フーリエ変換して求めた周波数スペクトルを表している。
図４（ｃ）と（ｆ）は、同じに見えるがそれは紙面に表示上、スペクトルの絶対値の大きさで濃淡をつけたためであり、キャリア縞に対応するピークであるキャリアピークは符号が逆転している。
一方、スペクトル中央部にあるピークは被検査物への照度ムラや被検査物の透過ムラに起因する成分でキャリアの移動には因らないので符号は不変である。したがって、強度分布１と強度分布２の差分を取れば中央部のピークを除去できる。ステップ１５０では、回折格子移動前後の強度分布の差分の周波数スペクトルを求める。
【００１８】
図４（ｇ）は回折格子移動前後の強度分布の差分を表している。
図４（ｈ）は、強度分布の差分の周波数スペクトルを表しており、中央部のピークが消失していることが分かる。
なお、回折格子移動前後の強度分布の差分の周波数スペクトルを算出する際に、始めに強度分布１と強度分布２の周波数スペクトルを算出し、次にそれら周波数スペクトルの差分を算出してもよいことは言うまでもない。
ステップ１６０では、キャリア周波数近傍領域を切り出す。切り出し領域を広くすれば、後のステップで算出する微分位相分布の空間分解能が向上する。
しかしながら、キャリアピーク以外のピークの影響を少なくするために、切り出し領域はキャリアピークと他のピークの中間線より内側に制限される。
【００１９】
図５は本発明を実施しない場合、即ち強度分布の差分を取らない場合の切り出し領域を示す図であり、３４０および３４１はキャリア周波数を中心とした直交する２方向の切り出し領域として最大のものである。
検出器の画素サイズをＰとすれば、表現可能な空間周波数はその絶対値がナイキスト周波数以下に制限されるので±１／２Ｐの範囲である。
さらに、キャリアピーク３１０および３１１と中央部のピーク３２０の中間線より内側に制限されるので、最大の切り出し領域は中心が３１０および３１１で１辺が１／２√２Ｐで４５°傾いた２つの正方形の内側となる。
【００２０】
一方、図６は本発明における切り出し領域を示す図であり、３５０および３５１はキャリア周波数を中心とした直交する２方向の切り出し領域として最大のものである。
中央部のピークが消失したので、切り出し領域を隣接するキャリアピークとの中間線まで拡大できる。
したがって、最大の切り出し領域は中心が３１０および３１１で１辺が±１／２Ｐの正立した２つの正方形領域の内側となる。
図６の切り出し領域３５０および３５１の面積は図５の切り出し領域３４０および３４１の２倍あるので、復元できる周波数成分もそれだけ多くなり結果的に空間分解能の高いＸ線位相像を得ることができる。
ステップ１７０では、切り出した空間周波数スペクトルを原点に移動させ、逆フーリエ変換する。
ステップ１８０では、ステップ１７０で得られた複素数分布の位相成分を算出する。
算出された位相は一般に０〜２πに畳み込まれているので位相接続（アンラップともいう）して微分位相分布が得られる。
さらに、必要に応じて、得られた直交する２方向の微分位相が同時に満たされるように微分位相を積分することで被検査物を透過したＸ線の位相分布、つまり透過波面を得ることができる。
また、位相分布を求める別の方法として、Ｚｅｒｎｉｋｅ多項式などの関数列をキャリア縞の周期方向に微分した微分関数列に微分位相をフィッティングさせてもよい。
さらに、必要に応じて、強度分布１と強度分布２の和を求めれば、キャリアピークが消滅するので被検体のＸ線透過の情報を得ることができる。
【００２１】
つぎに、回折格子として位相差πの位相変調格子を使用した場合について説明する。
但し、前述の位相差π／２の位相変調格子使用の場合と同じ処理の説明については省略する。
ステップ１３０において検出器上の強度分布が紙面の縦と横方向の両方に半周期ずれるように回折格子を移動させる。
回折格子を移動させる距離は、位相差π／２の位相変調格子の場合の１／√２で、向きは４５°傾いた方向である。
図７（ａ）、（ｂ）、（ｃ）は、それぞれ、位相差πの位相変調格子を利用した場合の回折格子の位置状態、検出器上の強度分布、検出器上の強度分布を２次元フーリエ変換して求めた周波数スペクトルである。
図７（ｄ）、（ｅ）、（ｆ）は、回折格子移動後の回折格子の位置状態、検出器上の強度分布、検出器上の強度分布を２次元フーリエ変換して求めた周波数スペクトルである。
図７（ｇ）は、回折格子移動前後の強度分布の差分であり、図７（ｈ）は周波数スペクトルの差分である。
位相差π／２の位相変調格子を使用した場合と同様にキャリアピーク以外の不要なピークが消失するため、算出する微分位相分布の誤差は軽減される。
さらに、不要なピークが消失することで位相差π／２の位相変調格子を使用した場合と同様に、ステップ１６０における周波数スペクトルの切り出し領域も広げることができ、結果的に空間分解能の高いＸ線位相像を得ることができる。
【００２２】
さらに、回折格子としてメッシュパターンの強度変調格子を使用した場合について説明する。
ただし、前述の位相差π／２の位相変調格子使用の場合と同じ処理の説明については省略する。
ステップ１３０において検出器上の強度分布が紙面の縦と横方向の両方に半周期ずれるように回折格子を移動させる。
つまり、図８（ａ）に示すよう回折格子の周期をｄとすると、紙面の縦と横方向の両方にｄ／２だけ回折格子を移動させる。
図８（ａ）、（ｂ）、（ｃ）はそれぞれ、透過部と遮光部からなる強度変調格子を利用した場合の回折格子の位置状態、検出器上の強度分布、検出器上の強度分布を２次元フーリエ変換して求めた周波数スペクトルである。
図８（ｄ）、（ｅ）、（ｆ）はそれぞれ、回折格子移動後の回折格子の位置状態、検出器上の強度分布、検出器上の強度分布を２次元フーリエ変換して求めた周波数スペクトルである。
なお、図８（ａ）、（ｄ）において黒い部分が遮光部を示している。
図８（ｇ）は、回折格子移動前後の強度分布の差分であり、図８（ｈ）は周波数スペクトルの差分である。位相差π／２の位相変調格子を使用した場合と同様に、キャリアピーク以外の不要なピークが消失するため、算出する微分位相分布の誤差は軽減される。
さらに、不要なピークが消失することで位相差π／２の位相変調格子を使用した場合と同様に、ステップ１６０における周波数スペクトルの切り出し領域も広げることができ、結果的に空間分解能の高いＸ線位相像を得ることができる。
【００２３】
［実施例２］
実施例２として、図９を用いて実施例１とは異なる形態のＸ線撮像装置の構成例について説明する。
本実施例での説明は、実施例１と違いのある部分に限定する。
本実施例は、タルボ干渉を利用したＸ線撮像装置の装置サイズを小さくすることに有効である。
装置サイズを小さくするためには、式（１）のＺ０とＺ１が小さくなるよう、回折格子の周期ｄは小さくしなければならない。
そのため、強度分布の周期が既存の検出器の画素程度または画素以下となるので、フーリエ変換法による波面復元ができない。
そこで、タルボ干渉による強度分布の周期とわずかに異なる周期を有する遮光部材によりモアレ縞を形成し、モアレ縞に拡大された強度分布の歪みから波面復元を行う。
【００２４】
本実施例では、検出器５の直前に強度分布の周期とわずかに異なる周期を有する遮光部材８を配置することで、モアレ縞を形成し、モアレ縞の強度分布を取得する。
被検査物３を透過したＸ線の位相分布により、モアレ縞には歪みが生じており、実施例１と同じ図３の手順に従って、被検査物３を透過したＸ線の微分位相分布または位相分布を取得する。
ステップ１３０に対応する２回目の撮像は実施例１と異なり、モアレ縞の周期を半周期ずらして取得する。
検出器上でモアレ縞の分布を移動させるには、回折格子４を回折格子面内で移動させてもよいし、遮光部材８を遮光部材面内で移動させてもよい。
ステップ１４０〜１８０に従い、小さな装置サイズでも被検査物の透過率むらと光源の照明むらに起因する計測波面誤差が低減された波面を計測することができる。
また、図６で示すように空間周波数スペクトルからの切り出し領域が最大となるよう設計することで、算出する微分位相分布または位相分布の空間分解能は最大化される。
【００２５】
［実施例３］
実施例３として、図１０、図１１を用いて上記実施例１、２とは異なる形態のＸ線撮像装置の構成例について説明する。
本実施例での説明は、実施例１、２と違いのある部分に限定する。
本実施例では、回折格子として使用する市松模様の位相差πの位相変調格子が、製造上の誤差により位相差がπからずれたり、市松模様が変形したりする場合でも、
被検査物への照度ムラや被検査物の透過ムラに起因するノイズが除去されると共に、空間分解能も改善された精度の高い被検査物の透過波面計測を可能としている。
π変調格子が製造誤差で位相差がπからずれたり、周期構造における市松模様が矩形からずれたりすると、理想的には存在しない０次光が発生してしまう。
０次光が発生すると、０次光と±１次光の干渉が起き、より低い周波数の強度分布が生じ、フーリエ変換法による位相算出に誤差が生じる。
【００２６】
図１０（ａ）、（ｂ）、（ｃ）は、製造誤差により周期構造が市松模様からくずれた位相差πの位相変調格子を利用した場合の回折格子の位置状態、検出器上の強度分布、検出器上の強度分布を２次元フーリエ変換して求めた周波数スペクトルである。
図１０（ｃ）の周波数スペクトルには、図７（ｃ）に示した製造誤差がない場合の周波数スペクトルには存在しなかった、周波数のスペクトルが存在していることが分かる。
回折格子の製造誤差により発生したスペクトルは、図３に手順を示した差分スペクトルでは除去することができないため、本実施例では、検出器上の強度分布を移動させた４つの撮像強度分布に基づいて、微分位相分布を算出する。
【００２７】
図１０（ｄ）、（ｅ）、（ｆ）は、図７（ｄ）、（ｅ）、（ｆ）と同様に、回折格子を移動させたときの回折格子の位置状態、検出器上の強度分布、検出器上の強度分布を２次元フーリエ変換して求めた周波数スペクトルである。
検出器上の強度分布が周期性をもつ紙面の縦と横方向に半周期ずれるように回折格子を移動させている。
図１０（ｇ）、（ｈ）、（ｉ）は、図１０（ｄ）で示した回折格子の移動と同じ移動量で方向を９０度直交方向に変えた場合の回折格子の位置状態、検出器上の強度分布、検出器上の強度分布を２次元フーリエ変換して求めた周波数スペクトルである。
図１１（ｊ）、（ｋ）、（ｌ）は、図１０（ｄ）で示した回折格子の移動と図１０（ｇ）で示した回折格子の移動を両方行った場合の回折格子の位置状態、検出器上の強度分布、検出器上の強度分布を２次元フーリエ変換して求めた周波数スペクトルである。
図１０（ｂ）に対応する撮像強度分布をＩＡ、図１０（ｅ）に対応する撮像強度分布をＩＢ、図１１（ｈ）に対応する撮像強度分布をＩＣ、図１１（ｋ）に対応する撮像強度分布をＩＤとすると、ＩＡ−ＩＢ−ＩＣ＋ＩＤに対応する強度分布が図１１（ｍ）である。
その際、上記ＩＡ〜ＩＤの撮像強度分布はつぎのようにして取得された撮像強度分布である。
すなわち、移動手段が、前記直交する２方向の周期方向の両方向に前記強度分布の周期を２分の１だけ移動するように、前記回折格子の面内位置を変化させることが可能に構成されている第１の移動手段と、
前記第１の移動手段と同一面内で直交方向に同じ距離だけ前記回折格子または前記遮光部材の位置を変化させる第２の移動手段と、によって構成される。
そして、撮像強度分布ＩＡは前記移動手段を利用せずに取得され、撮像強度分布ＩＢは第１の移動手段のみを利用して取得される。
また、撮像強度分布ＩＣは第２の移動手段のみを利用して取得され、撮像強度分布ＩＤは第１の移動手段と第２の移動手段とを利用して取得される。
図１１（ｎ）は図１１（ｍ）を２次元フーリエ変換した周波数スペクトルであり、回折格子の製造誤差により発生したスペクトルが除去されていることが分かる。
【００２８】
本実施例では、上記したように４つの回折格子位置で取得した撮像強度分布を足し引きした式（ＩＡ−ＩＢ−ＩＣ＋ＩＤ）により求めた強度分布を、２次元フーリエ変換した周波数スペクトルに基づいて、微分位相分布または位相分布を算出する。
位相の算出方法は、実施例１で記述したステップ１６０、ステップ１７０、ステップ１８０に従う。
本実施例によると、回折格子の製造誤差により発生したスペクトルが除去されるため、フーリエ変換法における位相算出の精度が向上する。
【００２９】
以上の実施例１〜３において、前記強度分布または前記モアレ縞の強度分布は、該強度分布の周期が前記Ｘ線検出器の画素サイズの２√２倍で、
前記強度分布の周期方向が前記Ｘ線検出器の画素配列に対し４５°傾くように、前記回折格子または前記遮光部材または前記Ｘ線検出器を配置する。
そして、演算装置におけるスペクトル分離手段を、フーリエ変換により得た空間周波数スペクトルから、前記Ｘ線検出器の画素配列の直交する２つの周期方向のそれぞれにおいて、
周波数がゼロからナイキスト周波数までを含む正方形領域を切り出すことが可能に構成する。そうすることによって、キャリアピークを中心とした最大の周波数領域が切り出されるため、算出される微分位相分布の空間分解能は最大化される。
【００３０】
［実施例４］
実施例４として、図１２、図１３を用いて上記実施例１から実施例３とは異なる形態のＸ線撮像装置の構成例について説明する。
本実施例での説明は、上記実施例１から実施例３と違いのある部分に限定する。実施例１から実施例３は、回折格子として２方向に周期性を有する回折格子を利用していたが、本実施例では１方向に周期性を有する位相変調格子または強度変調格子を利用する。
１方向に周期性を有する回折格子は、２方向に周期性を有する回折格子より製造が簡単であることに利点がある。
図１２（ａ）、（ｂ）、（ｃ）は、位相を１方向に周期的にπ／２変調させる位相変調格子を利用した場合の回折格子の位置状態、検出器上の強度分布、検出器上の強度分布を２次元フーリエ変換して求めた周波数スペクトルである。
図１２（ｄ）、（ｅ）、（ｆ）は、回折格子を移動させることで、検出器上の強度分布が周期性をもつ紙面の横方向に半周期ずれるように回折格子を移動させた後の回折格子の位置状態、検出器上の強度分布、検出器上の強度分布を２次元フーリエ変換して求めた周波数スペクトルである。
図１２（ｇ）は、回折格子移動前後の強度分布の差分であり、図１２（ｈ）は周波数スペクトルの差分である。
図１２（ｈ）には、キャリア以外の不要なピークが除去されているため、微分位相分布の誤差は軽減される。
微分位相分布は、図１２（ｈ）の差分スペクトルから、ステップ１６０、ステップ１７０、ステップ１８０に従って算出される。
【００３１】
強度分布の周期が検出器の画素サイズの４倍で、周期方向が検出器の画素配列と一致するとき、算出する微分位相分布の空間分解能が最大化される。
このときの周波数スペクトルを図１３に示す。中央部のピーク６２０やキャリアピークの第２高調波に相当するピーク６３０は、回折格子を移動させた撮像強度分布の差分により除去されており、キャリアピーク６１０を中心とした斜線で示した長方形領域である領域６４０を切り出せる。
この領域、つまり強度分布の周期方向はゼロからナイキスト周波数まで、強度分布の周期に直交する方向はナイキスト周波数間の周波数全域を含む周波数領域は、キャリアピークを中心とした切り出し領域として最大である。これにより、算出される微分位相分布の空間分解能は最大化される。
位相差πの位相変調格子や強度変調格子を利用した場合も、位相差π／２の位相変調格子と同様に強度分布を半周期ずらすよう回折格子を移動させた２つの撮像強度分布に基づいて、誤差が軽減された微分位相分布を算出できる。
回折格子の移動量は、位相差π／２の位相変調格子、位相差πの位相変調格子、強度変調格子を使用した場合でそれぞれ格子周期の２分の１、４分の１、２分の１である。
本実施例で得られる回折格子の周期方向の微分位相を積分することで位相分布を得ることもできる。
位相分布をより正確に算出するため、例えば回折格子を面内で回転させ周期方向を変えることで、２つ以上の方向で微分位相を算出し、それらが同時に満たされる位相分布を求めてもよい。
【００３２】
［実施例５］
実施例５として、図１４を用いて波面計測装置の構成例について説明する。
本実施例での説明は、上記実施例１から４と違いのある部分に限定する。
光源１１は、例えばレーザから構成され、コヒーレント光を放射する。被検物１３は、例えば被検光学素子であり、より具体的には波面の計測対象である被検レンズや被検レンズ群である。
光源１１と被検物１３との間に設置する照明光学系１２は、光源１１から発せられる光波を収差が既知の波面に変換する。
照明光学系１２は、例えば、口径が十分に小さいピンホールから構成し、球面波で近似される波面を生成する。
回折格子１４は、光源から照射された光線の強度または位相を１方向または直交する２方向に周期的に変調する。
回折格子１４を透過した光は、上記した式（１）を満たす位置にタルボ干渉による周期的な強度分布を生じる。
光検出器１５は、強度分布を撮像する２次元撮像素子であり、ＣＣＤなどが用いられる。
移動手段１６は、回折格子１４を面内で移動させる手段で、強度分布を周期方向に半周期ずらすことができる。
演算装置１７は、図３に示した手順に従って取得した撮像強度分布から回折格子１４に入射した光の微分位相分布を算出する。
直交する２方向の微分位相分布から、これらを同時に満たす位相分布、即ち被検物１３の透過波面が得られる。
【符号の説明】
【００３３】
１：Ｘ線源
２：Ｘ線
３：被検査物
４：回折格子
５：Ｘ線検出器
６：移動手段
７：演算装置
【図１】
0005631013.tif 000003
【図２】
0005631013.tif 000004
【図３】
0005631013.tif 000005
【図４】
0005631013.tif 000006
【図５】
0005631013.tif 000007
【図６】
0005631013.tif 000008
【図７】
0005631013.tif 000009
【図８】
0005631013.tif 000010
【図９】
0005631013.tif 000011
【図１０】
0005631013.tif 000012
【図１１】
0005631013.tif 000013
【図１２】
0005631013.tif 000014
【図１３】
0005631013.tif 000015
【図１４】
0005631013.tif 000016